(57)【要約】【課題】現在、何処にでも使用されている洋式トイレ用手摺は、そのほとんどの物がトイレの壁面に直接固定されていたり、又、組み立て式であっても利用者の側面か背後にのみ設置されていて、前面に取り付けていないのである、その為に利用者は便座に座する時や立ち上がる時は利用出来るが、座している時はほとんどその用を足していないのであるその為に座している時の、苦痛を和らげて又、高齢者の人達などの様に前面に転倒したりする事故を未然に防止して、利用者に快適な排泄作業環境を提供しなければならないのである。【解決手段】その為にほとんどの一般家庭、事業所、公共のトイレなどで利用されている手摺に前面に手摺を取り付ける事により解決できる物である。【選択図】　　　図１
2004121308.tif 000002
【特許請求の範囲】
【請求項１】
洋式トイレで利用者が便座に座した時に、利用者の前面に手摺を設置する。又、利用者の身長等、他のあらゆる条件などに対応できる様に前後にも移動する事が出来る構造にする事により、利用者の安全性と、快適性、利便性、機能性を併せ持つ、洋式トイレに供する組み立て式前面手摺。
【発明の詳細な説明】
当該発明品は、洋式トイレにおいて利用者が、洋式便器の便座に座したときに、利用者の前面の胸の位置に手摺を設置する、その前面の手摺は固定式ではなく可動式にする事により利用者が便座に座した後で、簡単に誰でもいつでも簡単に設置出来る構造により可能とする。それには利用者が便座に座する前は、便座の左側の左側手摺に保持させている可動伸縮式手摺を利用者が持ち上げて、軽く引っ張り出して右側の手摺の滑り止めゴム部分に嵌め込む事により、横方向に固定され、又、右側側面手摺の滑り止めゴムの部分に嵌め込まれている為に、前後の移動を止められている事により前後の方向も安定固定させて、簡単に設置出来る構造を保持させていると言う特徴を持っている。
【０００１】
【発明の属する技術分野】
現在、一般的に利用されている、福祉用、高齢者用等その他、ほとんどのトイレ用手摺はトイレの部屋の両側壁面に直接取り付け固定した物である。
【０００２】
又可動式であっても利用者が、便座に座した時の体勢では、背後か側面のみしか手摺が設けられていない為に、座した時の安定感は極めて、不安定な姿勢を強いられているのである。側面と背後の手摺は利用者がトイレを利用するとき、すなわち座するとき、又は立ち上がる時などは、体重の移動に利用でき、便利では有るが、利用者が便座に坐して排泄作業をする時には全体重は便座のみにかかる事になり、上半身が不安定になり、不自然な姿勢を強いられる事になる、特に、高齢者や、身体に不自由な人、身体の局部に病気を持っている人達等はなおの事、排泄作業の時間が長くなるにもかかわらずに、不自由な姿勢を強いられる事になる、
【０００３】
又、健康な人達でも楽な姿勢での排泄作業環境を望んでいるのだが、手摺が利用者の側面か又は、背後の背もたれしかないために、前面に体重を移動させて身体の上半身の負担の軽減を図りたくても、前面に手摺を付帯させていない為に、側面の手摺に頼るか、又、背後の背もたれを利用しなければならない為に苦痛を感じる事になる
【０００４】
【従来の技術】
一般的に普及して利用されている、洋式便器用手摺はどれでもトイレの壁面に固定されていり、又、組み立て式であっても利用者の側面か、又は背後にだけ設置されている物であり、それでは、利用者が便座に座する時、又は立ち上がる時はかなり有効では有るが、利用者が座している時は、かなり苦痛を強いられているのである。
【０００５】
【発明が解決しようとする課題】
特に前々項００２項及び前項００３項で述べるように、身体的弱者、高齢者、身体の局部を患っている人等のように長時間の排泄作業をしなければならない人や、又健康な人達などでもゆっくりとした、排泄作業を好む人達等は、上半身の身体の不安定感に耐えられない事になる。又、高齢者の人達のように、身体が少し不自由な利用者が、排泄作業中に前面に転倒したりする事故を防止しなければならないのである。
【０００６】
【課題を解決するための手段】
当該発明品は、人間が身体の構造上、上半身を左右どちらの方向でも横方向に傾けるのは、かなり不自然なために苦痛を伴うが、ごく自然な形での前傾姿勢を保つのは苦痛を伴わないのを利用して、前面に手摺を取り付けて、上半身の体重を利用者の腕に分散させて、利用者の上半身の体重の分散を図り、楽な排泄作業が出来るように発明された物である。
【０００７】
【発明の実施の形態】
ここで図面を参照して発明の実施の形態を説明する。図面１は当該発明品である洋式トイレに供する組み立て式前面手摺の組み立て平面図である。図１符号５番は前面手摺である。普段利用者がトイレを利用していないときは前面の手摺は図１符号３番の右側側面手摺、図１０の輪の部分が図４符号３２の右側手摺部分の肘掛緩衝材の前面の部分に保持されて下方向に降りているが、そのときは横方向手摺すなわち前面手摺は、図８に示すように手摺本体に組み込まれている、コイルスプリングの作用で短く縮んでいるが、利用者が利用するときに、前面手摺を持ち上げ軽く引き出せば伸ばせるために、それを図７符号１３の部分、滑り止めゴムの所に保持させるように左側の側面手摺を引き出して、嵌め込む事により簡単に設置固定させる事が出来ると言う構造を持っている。この嵌め込む部分、図９符合２４の部分は曲線が滑り止め部分の大きさ依りわずかに小さく、少し固めに嵌め込む構造を持たしているために、前後の移動は出来にくいし、はずす時は上部に少しの力を加える事によりに簡単に取り外しが出来るし、又、この前面手摺の前後の位置は、利用者の身長など、その他の条件に合わせて前後の移動が可能であるから、利用者の条件等で決める事の出来る構造を持たせているという特徴を有する。
【０００８】
【発明の効果】
当該手摺は、洋式トイレをすでに設置して利用している一般家庭、事業者、苦境のトイレなどあらゆる所で利用できるように改良され発明された物である。現在利用されている手摺はどれもほとんどがトイレの壁面か背後にしか取り付けてなくて、利用者が便座に座した時は利用者自身の全体重は臀部一点にかかることになり、その事による苦痛は大きなものである。利用者は体重を分散させるために、体重の移動を試みるが、上半身を左右又、背後にしか移動させられない為に、不自然な姿勢をする事になり、快適性にはつながらない事になる。現在、高齢化社会が叫ばれており、又身体的な弱者の人達等に当該発明品である前面に手摺のある物を提供する事により、転倒事故を防止したりして、広く一般の社会に貢献する物である。又、高齢者や身体的に弱者の人達ばかりでなく、健康な人達にも、快適な排泄作業環境を提供する事で、社会の福祉に役立つ物と確信する物である。
【０００９】
【図面の簡単な説明】
【図１】当該発明品である洋式トイレに供する組み立て式前面手すりの組み立て平面図である。
【図２】当該手摺の背後背もたれ部拡大図である。
【図３】当該手摺は以後背もたれ部正面拡大図である。
【図４】当該手摺右側手摺の平面図である。
【図５】図４−Ａ部拡大図である。
【図６】図１−２の平面図である。
【図７】図１−４の平面図である。
【図８】図１−５の拡大平面図である。
【図９】図８−Ｃ部拡大正面図である。
【図１０】図８−Ｂ部拡大側面図である。
【図１１】図１−６拡大平面図である。
【図１２】図１１−Ｄ−Ｄ´断面図である。
【図１３】図１−（９−１２）、２７、２８の平面図である。
【図１４】図１−１８の側面図である。
【００１０】
【符号の説明】
１、　背もたれ部パイプである。
２、　背後下部支持パイプである。
３、　右側手摺である。
４、　左側手摺である。
５、　当該発明品である前面手摺である。
６、　前面下部支持パイプ兼足部置き場支持パイプである。
７、　当該前面手摺支持右側手摺保持部である。
８、　当該手摺着脱防止止め部である。
９、　（９−１２）は縦方向の支持パイプである。
１３、当該前面手摺支持受け部であり、又、滑り防止ゴム部である。
１４、背後背もたれ衝撃緩衝材である。
１５、前面手摺衝撃緩衝材である。
１６、当該手摺、コイルスプリング内装部である。
１７、当該前面手摺保持部である。
１８、当該手摺本体をトイレ床面に固定するための強力吸盤である。
１９、本体パイプを繋ぎこむための挿入部である。
２０、本体パイプを繋ぎこむための嵌め込み部である。
２１、当該前面手摺の本体に組み込むコイルスプリング止め部である。
２２、前面手摺の引き込み部とコイルスプリングを止める止めこみ部である。
２３、当該前面手摺に組み込まれているコイルスプリングである。
２４、当該前面手摺を左側の手摺に保持させるための嵌め込み部である。
２５、当該手摺を右側手摺に保持させるための貫通穴である。
２６、利用者の足を乗せる部分である。
２７、２８、本体左右の下部支持パイプである。
２９、本体固定用吸盤パイプ貫通孔である。
３０、当該前面手摺衝撃緩衝材止めこみネジである。
３１、手摺左右の利用者衝撃緩衝材である。
３２、左側手摺滑り止めゴム部である。
【図１】
2004121308.tif 000003
【図２】
2004121308.tif 000004
【図３】
2004121308.tif 000005
【図４】
2004121308.tif 000006
【図５】
2004121308.tif 000007
【図６】
2004121308.tif 000008
【図７】
2004121308.tif 000009
【図８】
2004121308.tif 000010
【図９】
2004121308.tif 000011
【図１０】
2004121308.tif 000012
【図１１】
2004121308.tif 000013
【図１２】
2004121308.tif 000014
【図１３】
2004121308.tif 000015
【図１４】
2004121308.tif 000016